(57)【特許請求の範囲】
【請求項１】
下記を具備する、無線通信のための方法：
その中で中継局がマクロ基地局に対して傾聴している複数のサブフレームを決定すること；および
その中で前記中継局が前記マクロ基地局に対して傾聴している前記複数のサブフレームにおいて、前記中継局によってマルチキャスト／ブロードキャスト単一周波数ネットワーク（ＭＢＳＦＮ）モードで送信すること、ここにおいて基準信号は、通常モードに比べて前記ＭＢＳＦＮモードでは、サブフレーム中のより少ない複数のシンボル期間において伝送される。
【請求項２】
更に下記を具備する、請求項１の方法：
その中で前記中継局が複数のユーザ機器（ＵＥｓ）に送信している複数のサブフレームを決定すること；および
その中で前記中継局が前記複数のＵＥに送信している前記複数のサブフレームにおいて、前記中継局によって前記通常モードで送信すること。
【請求項３】
請求項２に記載の方法、ここにおいて前記ＭＢＳＦＮモードで前記送信することは、その中で前記中継局が前記マクロ基地局に対して傾聴している各サブフレームの１つのシンボル期間において、前記中継局によって各アンテナから前記基準信号を送信することを具備し、およびここにおいて前記通常モードで前記送信することは、その中で前記中継局が前記複数のＵＥに送信している各サブフレームのマルチプルな複数のシンボル期間において、前記中継局によって各アンテナから前記基準信号を送信することを具備する。
【請求項４】
請求項１に記載の方法、ここにおいて前記ＭＢＳＦＮモードで前記送信することは、その中で前記中継局が前記マクロ基地局に対して傾聴している各サブフレームの第１のシンボル期間のみにおいて、前記中継局によって前記基準信号を送信することを具備する。
【請求項５】
請求項１に記載の方法、ここにおいて前記ＭＢＳＦＮモードで前記送信することは、その中で前記中継局が前記マクロ基地局に対して傾聴している各サブフレームにおいて、データ無しで且つ単一の時分割多重（ＴＤＭ）制御シンボルを送信すること具備する。
【請求項６】
更に下記を具備する、請求項１に記載の方法：
その中で前記マクロ基地局が前記中継局に送信する各サブフレームにおいて、前記マクロ基地局から最大数の時分割多重（ＴＤＭ）制御シンボルを受信すること。
【請求項７】
更に下記を具備する、請求項５に記載の方法、ここにおいて前記単一のＴＤＭ制御シンボルは、その中で前記中継局が前記マクロ基地局に対して傾聴している各サブフレームの第１のシンボル期間において伝送される：
その中で前記中継局が前記マクロ基地局に対して傾聴している各サブフレームの第２および第３のシンボル期間において、複数のＴＤＭ制御シンボルを受信すること、および
前記受信された複数のＴＤＭ制御シンボルに基づいて、前記マクロ基地局から少なくとも１つの制御チャネルを復号化すること。
【請求項８】
下記を具備する、無線通信のための装置：
その中で中継局がマクロ基地局に対して傾聴している複数のサブフレームを決定するための手段；および
その中で前記中継局が前記マクロ基地局に対して傾聴している前記複数のサブフレームにおいて、前記中継局によってマルチキャスト／ブロードキャスト単一周波数ネットワーク（ＭＢＳＦＮ）モードで送信するための手段、ここにおいて基準信号は、通常モードに比べて前記ＭＢＳＦＮモードでは、サブフレーム中のより少ない複数のシンボル期間において伝送される。
【請求項９】
更に下記を具備する、請求項８に記載の装置：
その中で前記中継局が、複数のユーザ機器（ＵＥｓ）に送信している複数のサブフレームを決定するための手段；および
その中で前記中継局が前記複数のＵＥに送信している前記複数のサブフレームにおいて、前記中継局によって前記通常モードで送信するための手段。
【請求項１０】
請求項８に記載の装置、ここにおいて前記ＭＢＳＦＮモードで前記送信することは、その中で前記中継局が前記マクロ基地局に対して傾聴している各サブフレームの第１のシンボル期間のみにおいて、前記中継局によって前記基準信号を送信することを具備する。
【請求項１１】
請求項８に記載の装置、ここにおいて前記ＭＢＳＦＮモードで前記送信することは、その中で前記中継局が前記マクロ基地局に対して傾聴している各サブフレームにおいて、データ無しで且つ単一の時分割多重（ＴＤＭ）制御シンボルを送信することを具備する。
【発明の詳細な説明】
【関連技術】
【０００１】
本出願は、本出願人にその権利が譲渡され、本願において組み込まれている仮米国特許出願第６１／０８００２５号（２００８年７月１１日に出願された「ＥＮＡＢＬＩＮＧ  ＣＯＭＭＵＮＩＣＡＴＩＯＮＳ  ＩＮ  ＴＨＥ  ＰＲＥＳＥＮＣＥ  ＯＦ  ＤＯＭＩＮＡＮＴ  ＩＮＴＥＲＦＥＲＥＲ」）に基づいて優先権を主張している。
【技術分野】
【０００２】
本開示は全般的には通信に関するものであり、そしてより明確には、無線通信ネットワークおいて通信をサポートするための技術に関するものである。
【背景技術】
【０００３】
無線通信ネットワークは、音声、ビデオ、パケットデータ、メッセージング、ブロードキャスト等のような、様々な通信サービスを提供するために広く展開される。これらの無線ネットワークは、利用可能なネットワークリソースを共有することによってマルチプルな複数のユーザをサポートすることが可能なマルチプル−アクセスのネットワークであることができる。そのようなマルチプル−アクセスのネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワークおよび単一キャリアＦＤＭＡ（ＳＣ−ＦＤＭＡ）ネットワークを含む。
【０００４】
無線通信ネットワークは、多くのユーザ機器（ＵＥ）のために通信をサポートすることができる多くの基地局を含むことができる。ＵＥは、ダウンリンクおよびアップリンクを介して基地局と通信することができる。ダウンリンク（または順方向リンク）は、基地局からＵＥへの通信リンクを指し、またアップリンク（または逆方向リンク）は、ＵＥから基地局への通信リンクを指す。
【０００５】
基地局は、ＵＥへダウンリンク上で制御情報とデータを送信することができ、および／またはＵＥからアップリンク上で制御情報とデータを受信することができる。ダウンリンク上では、基地局からの送信は、複数の隣接する基地局からの送信による干渉を観測することができる。アップリンク上では、ＵＥからの送信が、複数の隣接する基地局と通信している他の複数のＵＥからの送信へ干渉を引き起こすことができる。該干渉は、ダウンリンクとアップリンクとの両方上のパフォーマンスを下げることができる。
【発明の概要】
【０００６】
支配的な干渉シナリオにおいて通信をサポートするための技術と、異種ネットワークにおいて中継局のオペレーションをサポートするための技術が、ここに開示される。異種ネットワークは、異なる送信パワーレベルの複数の基地局を含むことができる。支配的な干渉シナリオでは、ＵＥは、第１の基地局と通信することができ、そして第２の局から高い干渉を観測することができる、および／または第２の局へ高い干渉を引き起こすことができる。第１および第２の基地局は、異なるタイプであることができ、および／または異なる送信パワーレベルを有することができる。
【０００７】
ある態様では、支配的な干渉シナリオにおける通信は、強干渉基地局から高い干渉を観測しているより弱い基地局のために、複数のサブフレームをリザーブすることによってサポートされることができる。ｅＮＢは、ＵＥにおいて受信されたｅＮＢのパワー（および、ｅＮＢの送信パワーレベルに基づいてではない）に基づいて、「弱（weak）」ｅＮＢ、または「強（strong）」ｅＮＢとして分類されることができる。その時ＵＥは、強干渉基地局の存在下では、複数のリザーブされたサブフレームにおいて、より弱い基地局と通信することができる。
【０００８】
別の態様では、異種ネットワークにおける基準信号による干渉は、緩和されることができる。異種ネットワークにおいて、第２の局（例えば、ＵＥまたは別の基地局）へ高い干渉を引き起こしている、または第２の局から高い干渉を観測している、第１の局（例えば、基地局）は、識別されることができる。１つの設計では、第１の局からの第１の基準信号による干渉は、第２の局（例えば、ＵＥ）において該干渉をキャンセルすることによって緩和されることができる。別の設計では、第１の基準信号への干渉は、第１の基準信号との衝突を回避するために、第２の局（例えば、別の基地局）によって第２の基準信号を伝送するための異なる複数のリソースを選択することによって緩和されることができる。
【０００９】
なお別の態様では、良いパフォーマンスを達成するために、中継局が稼働されることができる。中継局は、その中でそれがマクロ基地局に対して傾聴する複数のサブフレームを決定することができ、そしてこれらのサブフレームにおいて、マルチキャスト／ブロードキャスト単一周波数ネットワーク（ＭＢＳＦＮ）モードで送信することができる。中継局はまた、その中でそれが複数のＵＥに送信する複数のサブフレームを決定することができ、そしてこれらのサブフレームにおいて、通常モードで送信することができる。中継局は、通常モードに比べてＭＢＳＦＮモードでは、サブフレーム中のより少ない複数のシンボル期間において基準信号を伝送することができる。中継局はまた、通常モードに比べてＭＢＳＦＮモードでは、サブフレームにおいてより少ない時分割多重（ＴＤＭ）制御シンボルを伝送することができる。
【００１０】
なお別の態様では、第１の局は、複数のＵＥによるＴＤＭ制御シンボルの受信を向上するために、支配的な干渉源に比べてより多くのＴＤＭ制御シンボルを送信することができる。前記第１の局（例えば、ピコ基地局、中継局等）は、第１の局への強干渉局を識別することができる。第１の局は、サブフレームにおいて強干渉局によって送信されている第１の数のＴＤＭ制御シンボルを決定することができる。第１の局は、第２の数のＴＤＭ制御シンボルが第１の数のＴＤＭ制御シンボル以上である状態で、サブフレームにおいて第２の数（例えば、最大数）のＴＤＭ制御シンボルを送信することができる。
【００１１】
本開示の様々な態様および特徴が、更に詳細に下に記述される。
【図面の簡単な説明】
【００１２】
【図１】図１は、無線通信ネットワークを示す図。
【図２】図２は、典型的なフレーム構造を示す図。
【図３】図３は、２つの典型的な通常のサブフレームフォーマットを示す図
【図４】図４は、２つの典型的なＭＢＳＦＮサブフレームフォーマットを示す図。
【図５】図５は、異なる基地局に関する典型的な送信タイムラインを示す図。
【図６】図６は、無線通信ネットワークにおいて干渉を緩和するためのプロセスを示す図。
【図７】図７は、無線通信ネットワークにおいて干渉を緩和するための装置を示す図。
【図８】図８は、無線通信ネットワークにおいて中継局を動作するためのプロセスを示す図。
【図９】図９は、無線通信ネットワークにおいて中継局を動作するための装置を示す図。
【図１０】図１０は、無線通信ネットワークにおいて制御情報を送信するためのプロセスを示す図。
【図１１】図１１は、無線通信ネットワークにおいて制御情報を送信するための装置を示す図。
【図１２】図１２は、基地局または中継局と、ＵＥを示すブロック図。
【発明を実施するための形態】
【００１３】
ここに記述される複数の技術は、ＣＤＭＡ、ＴＤＭＡ、ＦＤＭＡ、ＯＦＤＭＡ、ＳＣ−ＦＤＭＡおよび他のネットワークのような様々な無線通信ネットワークのために使用されることができる。「ネットワーク」および「システム」という用語は、しばしば置換可能に使用される。ＣＤＭＡネットワークは、ユニバーサル地上ラジオアクセス（ＵＴＲＡ）、ｃｄｍａ２０００等のような無線技術をインプリメントすることができる。ＵＴＲＡは、広帯域ＣＤＭＡ（ＷＣＤＭＡ）およびＣＤＭＡのその他の変形を含む。ｃｄｍａ２０００は、ＩＳ−２０００、ＩＳ−９５およびＩＳ−８５６規格をカバーする。ＴＤＭＡネットワークは、汎ヨーロッパディジタル移動通信システム（ＧＳＭ）（登録商標）のような無線技術をインプリメントすることができる。ＯＦＤＭＡネットワークは、発展型ＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術をインプリメントすることができる。ＵＴＲＡおよびＥ−ＵＴＲＡは、ユニバーサル・モバイル・テレコミュニケーション・システム（ＵＭＴＳ）の一部である。３ＧＰＰロング・ターム・エボリューション（ＬＴＥ：Long Term Evolution）およびＬＴＥ−アドバンスド（ＬＴＥ−Ａ：LTE-Advanced）は、Ｅ−ＵＴＲＡを用いるＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナシップ計画」（３ＧＰＰ）と命名された組織からの文書に記述されている。ｃｄｍａ２０００およびＵＭＢは、「第３世代パートナシップ計画２」（３ＧＰＰ２）と命名された組織からの文書に記述されている。ここに記述される技術は、上記の無線ネットワークおよび無線技術と同様に、他の無線ネットワークおよび無線技術のためにも使用されることができる。明快さのために、該技術のある複数の態様は、ＬＴＥに関して以下に記述されており、またＬＴＥの専門用語は、以下の記述の多くにおいて使用される。
【００１４】
図１は、無線通信ネットワーク１００を示し、それはＬＴＥネットワークあるいは何か他の無線ネットワークであることができる。無線ネットワーク１００は、多くの発展型ノードＢ（ｅＮＢ）１１０、１１２、１１４および１１６と、他の複数のネットワークエンティティ（network entities）を含むことができる。ｅＮＢは、複数のＵＥと通信する局であることができ、そしてまた基地局、ノードＢ、アクセスポイント等と称されることができる。各ｅＮＢは、特定の地理的なエリアに対して通信のカバレッジを提供することができる。３ＧＰＰでは、「セル」という用語は、該用語が使用される文脈に応じて、このカバレッジエリアをサービスしているｅＮＢおよび／またはｅＮＢのサブシステムのカバレッジエリアを指すことができる。
【００１５】
ｅＮＢは、マクロセル、ピコセル、フェムトセルおよび／または、他のタイプのセルのために通信のカバレッジを提供することができる。マクロセルは、比較的大きな地理的なエリア（例えば、半径において数キロメーター）をカバーすることができ、またサービスの申し込みをした複数のＵＥによる制限されないアクセスを許容することができる。ピコセルは、比較的小さな地理的なエリアをカバーすることができ、またサービスの申し込みをした複数のＵＥによる制限されないアクセスを許容することができる。フェムトセルは、比較的小さな地理的なエリア（例えば、ホーム（home））をカバーすることができ、またフェムトセルとの関連を有する複数のＵＥ（例えば、クローズド加入者グループ（ＣＳＧ：Closed Subscriber Group）における複数のＵＥ、ホームの中の複数のユーザのためのＵＥ）による制限されたアクセスを許容することができる。マクロセルのためのｅＮＢは、マクロｅＮＢと称されることができる。ピコセルのためのｅＮＢは、ピコｅＮＢと称されることができる。フェムトセルのためのｅＮＢは、フェムトｅＮＢまたはホームｅＮＢと称されることができる。図１において示される例では、ｅＮＢ  １１０は、マクロセル１０２のためのマクロｅＮＢであることができ、ｅＮＢ  １１２は、ピコセル１０４のためのピコｅＮＢであることができ、そしてｅＮＢ  １１４と１１２は、それぞれフェムトセル１０６と１０８のためのフェムトｅＮＢであることができる。ｅＮＢは、１つまたは複数（例えば、３つ）のセルをサポートすることができる。
【００１６】
無線ネットワーク１００はまた、複数の中継局を含むことができる。中継局は、アップストリームの局（upstream station）（例えば、ｅＮＢまたはＵＥ）からデータおよび／または他の情報の送信を受信する局であり、そしてダウンストリームの局（downstream station）（例えば、ＵＥまたはｅＮＢ）に該データおよび／または他の情報の送信を伝送する局である。中継局はまた、他のＵＥに関する送信を中継するＵＥであることもできる。図１において示される例では、中継局１１８は、ｅＮＢ  １１０とＵＥ  １２８の間の通信を容易にするために、マクロｅＮＢ  １１０およびＵＥ  １２８と通信することができる。中継局はまた、中継ｅＮＢ、中継装置等として称されることができる。
【００１７】
無線ネットワーク１００は、例えば、複数のマクロｅＮＢ、複数のピコｅＮＢ、複数のフェムトｅＮＢ等の、異なるタイプのｅＮＢを含む異種ネットワークであることができる。これらの異なるタイプのｅＮＢは、無線ネットワーク１００において干渉上の異なるインパクト、異なるカバレッジエリア、および異なる送信パワーレベルを有することができる。例えば、マクロｅＮＢは、高い送信パワーレベル（例えば、２０ワット）を有することができるのに対して、ピコｅＮＢ、フェムトｅＮＢ、および中継局は、より低い送信パワーレベル（例えば、１ワット）を有することができる。
【００１８】
無線ネットワーク１００は、同期オペレーションをサポートすることができる。同期オペレーションに関しては、複数のｅＮＢは、類似したフレームタイミングを有することができ、そして異なる複数のｅＮＢからの送信は、時間においておおよそ整列（approximately aligned）されることができる。以下に記述されるように、同期オペレーションは、ある複数の送信特徴をサポートすることができる。
【００１９】
ネットワーク制御装置１３０は、複数のｅＮＢの組に結合されることができ、そしてこれらのｅＮＢに対して調整と制御を提供することができる。ネットワーク制御装置１３０は、バックホールを介して複数のｅＮＢと通信することができる。複数のｅＮＢはまた、例えば、無線または有線のバックホールを介して直接的または間接的に、互いに通信し合うことができる。
【００２０】
ＵＥ  １２２、１２４および１２８は、無線ネットワーク１００の全体に渡って分散されることができ、そして各ＵＥは、固定あるいは移動可能であることができる。ＵＥはまた、端末機、移動局、加入者ユニット、局等として称されることができる。ＵＥは、携帯電話、携帯情報端末（ＰＤＡ）、無線モデム、無線通信デバイス、ハンドヘルドデバイス、ラップトップコンピュータ、コードレス電話、無線ローカルループ（ＷＬＬ）局等であることができる。ＵＥは、複数のマクロｅＮＢ、複数のピコｅＮＢ、複数のフェムトｅＮＢ、複数の中継局等と通信することができる。図１では、２つの矢印を備えた実線は、ＵＥとサービスするｅＮＢの間の望ましい送信を示し、それはダウンリンクおよび／またはアップリンク上でＵＥをサービスするように指定されたｅＮＢである。２つの矢印を備えた点線は、ＵＥとｅＮＢの間の干渉する送信を示す。
【００２１】
ＬＴＥは、ダウンリンク上では直交周波数分割多重方式（ＯＦＤＭ）、そしてアップリンク上では単一キャリア周波数分割多重方式（ＳＣ−ＦＤＭ）を利用する。ＯＦＤＭおよびＳＣ−ＦＤＭは、システムの帯域幅をマルチプルな（Ｋ）の直交するサブキャリアに分割することができ、それらはまた、一般にトーン（tones）、ビン(bins)等として称される。各サブキャリアは、データで変調されることができる。一般に、変調シンボルは、ＯＦＤＭでは周波数領域において、またＳＣ−ＦＤＭでは時間領域において伝送される。隣接するサブキャリア間の間隔は固定されることができ、そしてサブキャリアの総数（Ｋ）は、システムの帯域幅に依存することができる。例えば、Ｋは、１．２５、２．５、５、１０または２０メガヘルツ（ＭＨｚ）のシステムの帯域幅に対して、それぞれ１２８、２５６、５１２、１０２４または２０４８に等しくあることができる。システムの帯域幅はまた、複数のサブバンドに分割されることができる。例えば、一つのサブバンドは、１．０８ＭＨｚをカバーすることができ、そして１．２５、２．５、５、１０、または２０ＭＨｚのシステムの帯域幅に対して、それぞれ１、２、４、８、または１６のサブバンドが在ることができる。
【００２２】
図２は、ＬＴＥにおいて使用されるフレーム構造を示す。ダウンリンクに関する送信タイムラインは、複数の無線フレームの単位に分割されることができる。各無線フレームは、所定の持続時間（例えば、１０ミリセカンド（ｍｓ））を有することができ、そして０から９のインデックスがついた１０個のサブフレームに分割されることができる。各サブフレームは、２つのスロットを含むことができる。各無線フレームは、従って０から１９のインデックスがついた２０個のスロットを含むことができる。各スロットは、Ｌ個のシンボル期間を含むことができ、例えば、（図２において示されるような）通常のサイクリック・プレフィックスに関しては、Ｌ＝７個のシンボル期間、あるいは拡張されたサイクリック・プレフィックスに関しては、Ｌ＝６個のシンボル期間である。各サブフレーム中の２Ｌ個のシンボル期間は、０から２Ｌ−１のインデックスを割り振られることができる。
【００２３】
利用可能な時間周波数リソースは、リソースブロックに分割されることができる。各リソースブロックは、１つのスロットにおいてＮ個のサブキャリア（例えば、１２個のサブキャリア）をカバーすることができ、また多くのリソース要素を含むことができる。各リソース要素は、１つのシンボル期間において１つのサブキャリアをカバーすることができ、そして１つの変調シンボルを伝送するために使用されることができ、それは実数値または複素数値（complex value）であることができる。ｅＮＢは、各シンボル期間において１つのＯＦＤＭシンボルを送信することができる。各ＯＦＤＭシンボルは、送信のために使用されるサブキャリア上には複数の変調シンボルを、そして残りのサブキャリア上には信号値０のゼロシンボルを含むことができる。
【００２４】
ＬＴＥでは、ｅＮＢは、ｅＮＢにおける各セルに関するシステムの帯域幅の中心の１．０８ＭＨｚにおいて、一次同期信号（ＰＳＳ）および二次同期信号（ＳＳＳ）を伝送することができる。一次および二次同期信号は、図２において示されるように、通常のサイクリック・プレフィックスに関しては、各無線フレームのサブフレーム０および５の各々のシンボル期間６および５において、それぞれ伝送されることができる。該複数の同期信号は、セルのサーチおよび獲得のために複数のＵＥによって使用されることができる。ｅＮＢは、ある複数の無線フレーム中のサブフレーム０のスロット１におけるシンボル期間０および３において、報知チャネル（ＰＢＣＨ）を伝送することができる。ＰＢＣＨは、特定のシステム情報を搬送することができる。
【００２５】
ｅＮＢは、図２において示されるように、各サブフレーム中の第１のシンボル期間において、制御チャネル構成指示チャネル（ＰＣＦＩＣＨ）を伝送することができる。ＰＣＦＩＣＨは、サブフレーム中の複数の制御チャネルのために使用されるシンボル期間の数（Ｍ）を運ぶことができ、ここでＭは、１、２、または３に等しくあることができ、またサブフレームからサブフレームへ変更することができる。Ｍはまた、例えば、１０個より少ないリソースブロックを有する小さいシステムの帯域幅に関しては、４に等しくあることができる。ｅＮＢは、各サブフレームの最初のＭ個のシンボル期間において、ハイブリッドＡＲＱ指示チャネル（ＰＨＩＣＨ）およびダウンリンク制御チャネル（ＰＤＣＣＨ）（図２では示されていない）を伝送することができる。ＰＨＩＣＨは、ハイブリッド自動再送要求（ＨＡＲＱ）をサポートするための情報を搬送することができる。ＰＤＣＣＨは、複数のＵＥに関するリソース割り当ての情報と、複数のダウンリンクチャネルに関する制御情報を搬送することができる。サブフレームの最初のＭ個のＯＦＤＭシンボルはまた、ＴＤＭ制御シンボルと称されることができる。ＴＤＭ制御シンボルは、制御情報を搬送するＯＦＤＭシンボルであることができる。ｅＮＢは、各サブフレームの残りのシンボル期間において、ダウンリンク共有チャネル（ＰＤＳＣＨ）を伝送することができる。ＰＤＳＣＨは、ダウンリンク上のデータ送信のためにスケジュールされた複数のＵＥに関するデータを搬送することができる。ＬＴＥにおける様々な信号およびチャネルは、「発展型ユニバーサル地上ラジオアクセス（Ｅ−ＵＴＲＡ）；物理的なチャネルおよび変調」と題された、３ＧＰＰ  ＴＳ  ３６．２１１の中に記述されており、それは公的に利用可能である。
【００２６】
ＬＴＥは、特定のＵＥに対するユニキャスト情報の送信をサポートする。ＬＴＥはまた、全てのＵＥに対するブロードキャスト情報と、ＵＥのグループに対するマルチキャスト情報の送信をサポートする。マルチキャスト／ブロードキャスト送信はまた、ＭＢＳＦＮ送信と称されることができる。ユニキャスト情報を伝送するために使用されるサブフレームは、通常のサブフレームと称されることができる。マルチキャストおよび／またはブロードキャスト情報を伝送するために使用されるサブフレームは、ＭＢＳＦＮサブフレームと称されることができる。
【００２７】
図３は、ダウンリンク上で複数の特定のＵＥにユニキャスト情報を伝送するために使用されることができる、２つの典型的な通常のサブフレームフォーマット３１０および３２０を示す。ＬＴＥにおける通常のサイクリック・プレフィックスに関しては、左スロットは、７つのシンボル期間０から６を含み、そして右スロットは、７つのシンボル期間７から１３を含む。
【００２８】
サブフレームフォーマット３１０は、２つのアンテナを備えたｅＮＢによって使用されることができる。セル固有の基準信号は、シンボル期間０、４、７および１１において伝送されることができ、またチャネル推定のために複数のＵＥによって使用されることができる。基準信号は、送信機および受信機によってアプリオリに知られている信号であり、またパイロットとも称されることができる。セル固有の基準信号は、セルに対して固有の基準信号であり、例えば、セルの識別（ＩＤ）に基づいて決定される１つまたは複数のシンボルシーケンスを用いて生成される。簡単化のため、セル固有の基準信号は、単に基準信号と称されることができる。図３において、Ｒｉとラベル表示される与えられたリソース要素に関しては、基準信号は、アンテナｉからそのリソース要素上で伝送されることができ、そして何れのシンボルも、他のアンテナからそのリソース要素上で伝送されることができない。サブフレームフォーマット３２０は、４つのアンテナを備えたｅＮＢによって使用されることができる。基準信号はシンボル期間０、１、４、７、８および１１において伝送されることができる。
【００２９】
図３において示される例では、３つのＴＤＭ制御シンボルが、Ｍ＝３を有する通常のサブフレームにおいて伝送される。ＰＣＦＩＣＨは、シンボル期間０において伝送されることができ、そしてＰＤＣＣＨおよびＰＨＩＣＨは、シンボル期間０から２において伝送されることができる。ＰＤＳＣＨは、サブフレームの残りのシンボル期間３から１３において伝送されることができる。
【００３０】
図４は、ダウンリンク上で複数のＵＥにブロードキャスト／マルチキャスト情報を伝送するために使用されることができる２つの典型的なＭＢＳＦＮサブフレームフォーマット４１０および４２０を示す。サブフレームフォーマット４１０は、２つのアンテナを備えたｅＮＢによって使用されることができる。基準信号は、シンボル期間０において伝送されることができる。図４における例に関しては、Ｍ＝１であり、そして１つのＴＤＭ制御シンボルが、ＭＢＳＦＮサブフレームにおいて伝送されることができる。サブフレームフォーマット４２０は、４つのアンテナを備えたｅＮＢによって使用されることができる。基準信号は、シンボル期間０および１において伝送されることができる。図４において示される例に関しては、Ｍ＝２であり、そして２つのＴＤＭ制御シンボルが、ＭＢＳＦＮサブフレームにおいて伝送されることができる。
【００３１】
一般的に、ＰＣＦＩＣＨは、ＭＢＳＦＮサブフレームのシンボル期間０において伝送されることができ、そしてＰＤＣＣＨおよびＰＨＩＣＨは、シンボル期間０からＭ−１において伝送されることができる。ブロードキャスト／マルチキャスト情報は、ＭＢＳＦＮサブフレームのシンボル期間Ｍから１３において伝送されることができる。その代わりに、シンボル期間Ｍから１３においては、何れの送信も伝送されることができない。
【００３２】
図３および４は、ダウンリンクのために使用されることができる幾つかのサブフレームフォーマットを示す。他のサブフレームフォーマットもまた、例えば、ｅＮＢにおける２つ以上のアンテナに関して、使用されることができる。
【００３３】
ｅＮＢまたは中継は、通常モード、ＭＢＳＦＮモードおよび／または、他のオペレーティングモードで動作することができる。ｅＮＢまたは中継局は、サブフレームからサブフレームへ、またはより遅いレートにおいて、モードを切り替えることができる。通常モードでは、ｅＮＢまたは中継局は、例えば、図３において示されるような通常のサブフレームフォーマットを使用して送信することができる。通常モードは、構成可能な数のＴＤＭ制御シンボル、サブフレームの２つ以上のシンボル期間において各アンテナから伝送されている基準信号等のような特定の特徴と関連付けられることができる。ＭＢＳＦＮモードでは、ｅＮＢまたは中継局は、例えば、図４において示されるようなＭＢＳＦＮサブフレームフォーマットを使用して送信することができる。ＭＢＳＦＮモードは、最小数のＴＤＭ制御シンボル、サブフレームの１つのシンボル期間において各アンテナから伝送されている基準信号等のような特定の特徴と関連付けられることができる。ｅＮＢまたは中継局は、例えば、図３および４において示されるように、通常モードに比べてＭＢＳＦＮモードでは、より少ない複数のシンボル期間において、制御情報および基準信号を送信することができる。ｅＮＢまたは中継局はまた、通常モードに比べてＭＢＳＦＮモードでは、より少ないＴＤＭ制御シンボルを送信することができる。従って、ＭＢＳＦＮモードは、以下に記述されるような複数の特定のオペレーティングシナリオにおいて望ましくあることができる。
【００３４】
ＵＥは、マルチプルな複数のｅＮＢのカバレッジ内にあることができる。これらのｅＮＢのうちの１つは、該ＵＥをサービスするために選択されることができる。サービスするｅＮＢは、受信されたパワー、パス損失、信号対雑音比（ＳＮＲ）等のような、様々な基準に基づいて選択されることができる。
【００３５】
ＵＥは、その中でＵＥが１つまたは複数の干渉ｅＮＢから高い干渉を観測しうる支配的な干渉シナリオにおいて、動作することができる。支配的な干渉シナリオは、制限されたアソシエーション（restricted association）により起こりうる。例えば、図１では、ＵＥ  １２４は、フェムトｅＮＢ  １１４の近くにあることができ、そしてｅＮＢ  １１４に対して高い受信されたパワーを有することができる。しかしながら、ＵＥ  １２４は、制限されたアソシエーションによりフェムトｅＮＢ  １１４にアクセスできないことがあり、その時は、（図１において示されるように）より低い受信されたパワーを有するマクロｅＮＢ  １１０か、または同様により低い受信されたパワーを有するフェムトｅＮＢ  １１６に（図１において示されていない）接続することができる。その時ＵＥ  １２４は、ダウンリンク上ではフェムトｅＮＢ  １１４からの高い干渉を観測することができ、またアップリンク上ではｅＮＢ  １１４へ高い干渉を引き起こすことができる。
【００３６】
支配的な干渉シナリオはまた、範囲拡張によって起こることができ、それはＵＥが、ＵＥによって検出された全てのｅＮＢの中で、より低いパス損失を有する、そしてことによるとより低いＳＮＲを有するｅＮＢに接続するシナリオである。例えば、図１では、ＵＥ  １２２は、マクロｅＮＢ  １１０およびピコｅＮＢ  １１２を検出することができ、そしてマクロｅＮＢ  １１０に比べてピコｅＮＢ  １１２に対してより低い受信されたパワーを有することができる。それにもかかわらず、ピコｅＮＢ  １１２に対するパス損失が、マクロｅＮＢ  １１０に対するパス損失よりも低い場合は、ＵＥ  １２２にとっては、ピコｅＮＢ  １１２に接続することが望ましくありうる。これは、ＵＥ  １２２に対して与えられたデータレート（data rate）に関する、無線ネットワークへのより少ない干渉という結果になりうる。
【００３７】
ある観点では、支配的な干渉シナリオにおける通信は、強干渉ｅＮＢから高い干渉を観測しているより弱いｅＮＢのために、複数のサブフレームをリザーブすることによってサポートされることができる。その時ＵＥは、強干渉ｅＮＢの存在下でも、複数のリザーブされたサブフレームにおいて、より弱いｅＮＢと通信することができる。ｅＮＢは、ＵＥにおいて受信されたｅＮＢのパワー（および、ｅＮＢの送信パワーレベルに基づいてではない）に基づいて、「弱（weak）」ｅＮＢ、または「強（strong）」ｅＮＢとして分類されることができる。更に、複数の異なるｅＮＢは、支配的な干渉源からの干渉を回避できるように、それらの同期信号を伝送することができる。
【００３８】
１つの設計では、複数のｅＮＢおよび複数の中継局は、異なるグループに配置されることができる。各グループは、お互いに支配的な干渉源でない複数のｅＮＢおよび／または、複数の中継局を含むことができる。例えば、１つのグループは、複数のマクロｅＮＢを含むことができ、別のグループは複数のピコｅＮＢおよび複数の中継局を含むことができ、そして１つまたは複数のグループは、複数のフェムトｅＮＢを含むことができる。中継局は、ピコｅＮＢと類似した送信パワーレベルを有することができ、従って、ピコｅＮＢとグループ化されることができる。複数のフェムトｅＮＢは、それらがお互いの支配的な干渉源である場合には、マルチプルな複数のグループに分割されることができる。各グループが、お互いの支配的な干渉源でない複数のｅＮＢを含むようにすることによって、使用不能のシナリオは回避されることができ、そして範囲拡張の便益が実現されることができる。
【００３９】
１つの設計では、異なるグループの複数のｅＮＢは、異なるサブフレームオフセットと関連付けられることができる。異なるグループにおけるｅＮＢのタイミングは、整数のサブレームの数だけ、お互いからオフセットされることができる。例えば、第１のグループにおける複数のマクロｅＮＢがサブフレーム０を送信するときは、第２のグループにおける複数のピコｅＮＢは、サブフレーム１を送信することができ、第３のグループにおける複数のフェムトｅＮＢは、サブフレーム２を送信することができる等。サブフレームオフセットの使用は、複数のｅＮＢおよび複数の中継局が、複数のＵＥがそれらの信号を検出できるように、それらの同期信号を送信することを可能にすることができる。
【００４０】
図５は、４つのグループのｅＮＢおよび中継局に関する典型的な送信タイムラインを示す。第１のグループは、マクロｅＮＢ  １１０を含むことができ、それは時間Ｔ０においてそのサブフレーム０を開始することができる。第２のグループは、ピコｅＮＢ  １１２および中継局１１８を含むことができ、それは時間Ｔ０の１つのサブフレーム後に、それらのサブフレーム０を開始することができる。第３のグループは、フェムトｅＮＢ  １１４を含むことができ、それは時間Ｔ０の２つのサブフレーム後に、そのサブフレーム０を開始することができる。第４のグループは、フェムトｅＮＢ  １１６を含むことができ、それは時間Ｔ０より３つのサブフレーム後に、そのサブフレーム０を開始することができる。一般的に、何れの数のグループが作られることができ、そして各グループは、何れの数のｅＮＢおよび／または中継局を含むことができる。
【００４１】
１つの設計では、強干渉ｅＮＢは、より弱いｅＮＢがその複数のＵＥと通信することを可能にするために、より弱いｅＮＢのために幾つかのサブフレームをリザーブまたはクリアすることができる。干渉ｅＮＢは、より弱いｅＮＢへの干渉を減らすために、複数のリザーブされたサブフレームにおいて、可能なかぎり小さく送信することができる。１つの設計では、干渉ｅＮＢは、リザーブされたサブフレームをＭＢＳＦＮサブフレームとして構成することができる。干渉ｅＮＢは、例えば、図４において示されるように、各リザーブされたサブフレームの第１のシンボル期間において、基準信号およびＭ＝１を有するＰＣＦＩＣＨだけを送信することができ、そして該サブフレームの残りのシンボル期間においては、何も送信することができない。別の設計では、干渉ｅＮＢは、１つの送信アンテナに対しては、１−Ｔｘモードで、あるいは２つの送信アンテナに対しては、２−Ｔｘモードで動作することができる。干渉ｅＮＢは、例えば、図３において示されるように、各リザーブされたサブフレームにおいて、基準信号およびＭ＝１を有するＰＣＦＩＣＨを送信することができる。なお別の設計では、干渉ｅＮＢは、基準信号は送信することができるが、より弱いｅＮＢへの干渉を減らすために、複数のリザーブされたサブフレームにおいてＰＣＦＩＣＨを送信することを回避することができる。上に記述された複数の設計に関しては、干渉ｅＮＢは、各リザーブされたサブフレームにおいて、データと同様に、ＰＨＩＣＨおよびＰＤＣＣＨのような他の制御チャネルを送信することを回避することができる。なお別の設計では、干渉ｅＮＢは、より弱いｅＮＢへ何れの干渉を引き起こすことを回避するために、各リザーブされたサブフレームにおいて何も送信しないことができる。干渉ｅＮＢはまた、他の仕方においてリザーブされたサブフレームの中で送信できる。干渉ｅＮＢは、各リザーブされたサブフレームにおいて、ＬＴＥ規格によって必要とされる最も少ない数の変調シンボルを送信することができる。
【００４２】
図５において示される例では、マクロｅＮＢ  １１０は、ピコｅＮＢ  １１２のためにサブフレーム１および６をリザーブし、そして各リザーブされたサブフレームにおいて、ＰＣＦＩＣＨに関してＭ＝１を有する１つのＴＤＭ制御シンボルを送信する。フェムトｅＮＢ  １１４（フェムトｅＮＢ  Ａ）は、マクロｅＮＢ  １１０のためにサブフレーム３および８をリザーブし、ピコｅＮＢ  １１２のためにサブフレーム４および９をリザーブし、そしてフェムトｅＮＢ  １１６（フェムトｅＮＢ  Ｂ）のためにサブフレーム１をリザーブする。フェムトｅＮＢ  １１４は、各リザーブされたサブフレームにおいて、ＰＣＦＩＣＨに関してＭ＝１を有する１つのＴＤＭ制御シンボルを送信する。フェムトｅＮＢ  １１６は、マクロｅＮＢ  １１０のためにサブフレーム２および７をリザーブし、ピコｅＮＢ  １１２のためにサブフレーム３および８をリザーブし、そしてフェムトｅＮＢ  １１４のためにサブフレーム９をリザーブする。フェムトｅＮＢ  １１６は、各リザーブされたサブフレームにおいて、ＰＣＦＩＣＨに関してＭ＝１を有するＴＤＭ制御シンボルを送信する。図５において示されるように、複数のフェムトｅＮＢ  １１４および１１６によってマクロｅＮＢ  １１０のためにリザーブされた複数のサブフレームは、時間において整列されており（time aligned）、またマクロおよびフェムトｅＮＢからのわずかな干渉をもって、ピコｅＮＢがそのサブフレーム０および５において送信することを可能にしている。
【００４３】
図２に戻って参照すると、各ｅＮＢは、サブフレーム０および５において、その複数の同期信号を送信することができ、そしてまたサブフレーム０において、ＰＢＣＨを送信することができる。ＵＥは、ｅＮＢを検出しているときに、同期信号をサーチすることができ、そしてそのｅＮＢと通信するために、各検出されたｅＮＢからＰＢＣＨを受信することができる。複数のＵＥがより弱いｅＮＢを検出することを可能にするために、強干渉ｅＮＢは、その中で複数の同期信号およびＰＢＣＨがより弱いｅＮＢによって送信されている複数のサブフレームをクリアまたはリザーブすることができる。このクリアリング（clearing）は、その中で複数の同期信号およびＰＢＣＨがより弱いｅＮＢによって送信される一部のサブフレームのみ、あるいは全てのサブフレームに対して行なわれることができる。該クリアリングは、複数のＵＥが、合理的な時間の量においてより弱いｅＮＢを検出できるように行なわれるべきである。
【００４４】
図５において示された例を参照すると、マクロｅＮＢ  １１０のサブフレーム０および５は、マクロｅＮＢからのＰＢＣＨおよび複数の同期信号への干渉を回避するために、フェムトｅＮＢ  １１４および１１６によってクリアされる。ピコｅＮＢ  １１２のサブフレーム０および５は、ピコｅＮＢからのＰＢＣＨおよび複数の同期信号への干渉を回避するために、マクロｅＮＢ  １１０およびフェムトｅＮＢ  １１４と１１６によってクリアされる。フェムトｅＮＢ  １１４のサブフレーム０は、フェムトｅＮＢ  １１６によってクリアされ、そしてフェムトｅＮＢ  １１６のサブフレーム０は、フェムトｅＮＢ  １１４によってクリアされる。
【００４５】
１つの設計では、複数のｅＮＢは、複数のサブフレームのリザベーション／クリアリングを交渉する（negotiate）ために、バックホールを介して通信することができる。別の設計では、より弱いｅＮＢと通信することを望んでいるＵＥは、干渉ｅＮＢに対して、より弱いｅＮＢのために幾つかのサブフレームをリザーブするように要求することができる。なお別の設計では、指定されたネットワークエンティティは、例えば、複数のｅＮＢにおけるローディング、近辺におけるｅＮＢの数、各ｅＮＢのカバレッジ内のＵＥの数、複数のＵＥからのパイロット測定のレポート等の様々な基準に基づいて、複数のｅＮＢに関する複数のサブフレームのリザベーションを決定することができる。例えば、マクロｅＮＢは、マルチプルな複数のピコｅＮＢおよび／または複数のフェムトｅＮＢがそれらの複数のＵＥと通信することを可能にするために、サブフレームをリザーブすることができ、それはセルを分割する利得（cell splitting gains）を提供することができる。
【００４６】
各ｅＮＢは、その基準信号を、そのセルＩＤに基づいて決定される複数のサブキャリアの組上で送信することができる。１つの設計では、（マクロｅＮＢのような）強干渉ｅＮＢ、および（ピコｅＮＢのような）より弱いｅＮＢのセルＩＤのスペースは、これらｅＮＢの複数の基準信号が異なる複数のサブキャリア上で送信され、そして衝突しないように定義される。（フェムトｅＮＢおよび中継局のような）幾つかのｅＮＢは、自己構成（self-configuring）でありうる。これらのｅＮＢは、それらの基準信号が複数の隣接する強ｅＮＢの基準信号と衝突しないように、それらのセルＩＤを選択することができる。
【００４７】
ＵＥは、リザーブされたサブフレームにおいて、より弱いｅＮＢと通信することができ、そして強干渉ｅＮＢから、ＰＣＦＩＣＨ、基準信号、およびことによると他の複数の送信による高い干渉を観測することができる。１つの設計では、ＵＥは、干渉ｅＮＢからの高い干渉を有する各ＴＤＭ制御シンボルを廃棄することができ、そして残りのＴＤＭ制御シンボルを処理することができる。別の設計では、ＵＥは、高い干渉を有する複数のサブキャリア上で受信したシンボルを廃棄することができ、そして残りの受信したシンボルを処理することができる。ＵＥはまた、複数の受信したシンボルおよび複数のＴＤＭ制御シンボルを他の仕方において処理することもできる。
【００４８】
ＵＥは、より弱いｅＮＢによって送信された基準信号に基づいて、より弱いｅＮＢに関するチャネル推定を得ることができる。より弱いｅＮＢの基準信号は、異なる複数のサブキャリア上で送信されることができ、そして強干渉ｅＮＢの基準信号とオーバーラップしないことができる。この場合には、ＵＥは、このｅＮＢからの基準信号に基づいて、より弱いｅＮＢに関するチャネル推定を派生（derive）することができる。より弱いｅＮＢの基準信号が干渉ｅＮＢの基準信号と衝突する場合には、その時ＵＥは、干渉キャンセルを用いてチャネル推定を行なうことができる。ＵＥは、このｅＮＢによって伝送された既知の基準信号と、その上で該基準信号が送信された既知の複数のサブキャリアに基づいて、干渉ｅＮＢからの基準信号による干渉を推定することができる。ＵＥは、干渉ｅＮＢによる干渉を除去するために、ＵＥにおいて受信した信号から推定した干渉を減じることができ、そして次に該干渉−キャンセルした信号に基づいてチャネル推定を派生することができる。ＵＥはまた、より弱いｅＮＢからの基準信号と衝突する、干渉ｅＮＢからの複数の制御チャネル（例えば、ＰＣＦＩＣＨ）に対して干渉キャンセルを行なうことができる。ＵＥは、干渉ｅＮＢからのそのような各々の制御チャネルを復号化し、各復号化した制御チャネルによる干渉を推定し、受信した信号から推定した干渉を減じ、そして推定した干渉を減じた後に、より弱いｅＮＢに関するチャンネル推定を派生する。一般的に、ＵＥは、チャネル推定のパフォーマンスを向上するために復号化されることができる干渉ｅＮＢからの何れの送信に対して、干渉キャンセルを行なうことができる。ＵＥは、チャネル推定に基づいて、より弱いｅＮＢからの制御チャネル（例えば、ＰＢＣＨ，ＰＨＩＣＨおよびＰＤＣＣＨ）と同様にデータチャネル（例えば、ＰＤＳＣＨ）も復号化することができる。
【００４９】
より弱いｅＮＢは、干渉ｅＮＢによってリザーブされたサブフレームにおいて、制御情報およびデータを伝送することができる。干渉ｅＮＢは、例えば、図４において示されるように、サブフレームにおいて第１のＴＤＭ制御シンボルのみを送信することができる。この場合には、ＵＥは、第１のＴＤＭ制御シンボル上のみに高い干渉を観測することができ、そしてサブフレームにおける残りのＴＤＭ制御シンボル上には、干渉ｅＮＢからの干渉を観測しないことができる。
【００５０】
より弱いｅＮＢは、干渉ｅＮＢの存在下において、ＵＥによる信頼性のある受信を容易にするような仕方で制御情報を送信することができる。１つの設計では、より弱いｅＮＢは、ＰＣＦＩＣＨに関してＭ＝３を設定することによって、リザーブされたサブフレームにおいて３つのＴＤＭ制御シンボルを送信することができる。別の設計では、より弱いｅＮＢは、リザーブされたサブフレームにおいて所定の数のＴＤＭ制御シンボルを送信することができる。両方の設計に関するＵＥは、より弱いｅＮＢによって送信されているＴＤＭ制御シンボルの数を知っておくことができる。ＵＥは、第１のＴＤＭ制御シンボルにおいて、より弱いｅＮＢによって伝送されるＰＦＣＩＣＨを復号化する必要がなく、それは干渉ｅＮＢから高い干渉を観測しうる。
【００５１】
より弱いｅＮＢは、３つのＴＤＭ制御シンボルにおいて、ＰＨＩＣＨの３つの送信を伝送することができ、各ＴＤＭ制御シンボルにおいて１つのＰＨＩＣＨの送信である。ＵＥは、第２および第３のＴＤＭ制御シンボルにおいて伝送される２つのＰＨＩＣＨの送信に基づいて、ＰＨＩＣＨを復号化することができ、それは干渉ｅＮＢから干渉を観測しないことができる。ＵＥは、第１のＴＤＭ制御シンボルにおいて干渉ｅＮＢによって使用されない複数のサブキャリア上で伝送されるＰＨＩＣＨの送信の一部に更に基づいて、ＰＨＩＣＨを復号化することができる。
【００５２】
より弱いｅＮＢはまた、３つのＴＤＭ制御シンボルにおいて、ＰＤＣＣＨを伝送することができる。より弱いｅＮＢは、干渉ｅＮＢからの干渉による有害な（adverse）インパクトが減らされうるように、ＰＤＣＣＨをＵＥへ伝送することができる。例えば、より弱いｅＮＢは、干渉ｅＮＢによって使用されていない複数のサブキャリア上で、干渉ｅＮＢからの干渉なくＴＤＭ制御シンボルにおいてＰＤＣＣＨを伝送することができる等。
【００５３】
より弱いｅＮＢは、干渉ｅＮＢによる干渉を知っておくことができ、そして干渉の有害な影響を緩和するために制御情報を送信することができる。１つの設計では、より弱いｅＮＢは、望ましいパフォーマンスを得るために、ＰＨＩＣＨ、ＰＤＣＣＨ、および／または他の制御チャネルの送信パワーをスケール（scale）することができる。パワースケーリングは、干渉ｅＮＢからの高い干渉によるパンクチャリングによって、制御情報の一部を失うことの原因となりうる。
【００５４】
ＵＥは、第１の制御シンボルにおける幾つかの変調シンボルは、干渉ｅＮＢからの高い干渉により失われるあるいはパンクチャされうるという知識をもって、より弱いｅＮＢからの制御チャネル（例えば、ＰＨＩＣＨおよびＰＤＣＣＨ）を復号化することができる。１つの設計では、ＵＥは、干渉ｅＮＢからの高い干渉を有する複数の受信したシンボルを廃棄することができ、そして残りの受信したシンボルを復号化することができる。複数の廃棄されたシンボルは、複数のイレージャー（erasures）を用いて置き換えられ、そして復号化のプロセスにおいてニュートラルな重み（neutral weight）を与えられることができる。別の設計では、ＵＥは、複数の制御チャネルに関する干渉キャンセルを用いて復号化を行うことができる。ＵＥは、複数のＴＤＭ制御シンボルにおける、干渉ｅＮＢによる干渉を推定し、複数の受信したシンボルから推定した干渉を除去し、そして複数の制御チャネルを復号化するために干渉キャンセルした後の複数の受信したシンボルを使用することができる。
【００５５】
ＵＥは、ことによると幾つかの変調シンボルが、干渉ｅＮＢからの高い干渉によりパンクチャされうるという知識をもって、より弱いｅＮＢからのデータチャネル（例えば、ＰＤＳＣＨ）を復号化することができる。１つの設計では、ＵＥは、干渉ｅＮＢからの高い干渉を有する受信したシンボルを廃棄することができ、そしてより弱いｅＮＢによって伝送されたデータを回復するために、残りの受信したシンボルを復号化することができる。別の設計では、ＵＥは、データチャネルに関する干渉キャンセルを用いて復号化を行うことができる。
【００５６】
ＵＥはまた、干渉ｅＮＢからの高い干渉の存在下においてパフォーマンスを向上するための他の技術に基づいて、より弱いｅＮＢからの制御およびデータのチャネルを復号化することもできる。例えば、ＵＥは、特定の受信したシンボル上の高い干渉を考慮して、検出および／または復号化を行うことができる。
【００５７】
ここに記述される技術は、複数の中継局、例えば、中継局１１８、によるオペレーションをサポートするために使用されることができる。ダウンリンク方向では、中継局１１８は、マクロｅＮＢ  １１０からデータおよび制御情報を受信することができ、そして該データおよび制御情報をＵＥ  １２８へ再送信することができる。アップリンク方向では、中継局１１８は、ＵＥ  １２８からデータおよび制御情報を受信することができ、そして該データおよび制御情報をマクロｅＮＢ  １１０へ再送信することができる。中継局１１８は、マクロｅＮＢ  １１０に対してはＵＥのようであり、ＵＥ  １２８に対してはｅＮＢのようであることができる。マクロｅＮＢ  １１０と中継局１１８の間のリンクは、バックホールリンクと称されることができ、そして中継局１１８とＵＥ  １２８の間のリンクは、中継リンクと称されることができる。
【００５８】
中継局１１８は、典型的に、同じ周波数のチャネルあるいは帯域幅上で、同時に送信と受信ができない。ダウリンク方向では、中継局１１８は、幾つかのサブフレームを、その中でそれがマクロｅＮＢ  １１０に対して傾聴するであろうバックホールダウンリンクのサブフレームとして、そして幾つかのサブフレームを、その中でそれが複数のＵＥに送信するであろう中継ダウンリンクのサブフレームとして指定することができる。アップリンク方向では、中継局１１８は、幾つかのサブフレームを、その中でそれが複数のＵＥに対して傾聴するであろう中継アップリンクのサブフレームとして、そして幾つかのサブフレームを、その中でそれがマクロｅＮＢ  １１０に送信するであろうバックホールアップリンクのサブフレームとして指定することができる。図５において示される例では、ダウンリンク方向では、中継局１１８は、サブフレーム０および５において、その複数のＵＥへ送信することができ、それはマクロｅＮＢ  １１０によってクリアされることができる、そしてサブフレーム１、２、３、４および９において、マクロｅＮＢ  １１０に対して傾聴することができる。アップリンク方向の複数のサブフレームは、図５において示されていない。
【００５９】
範囲拡張シナリオでは、マクロｅＮＢ  １１０は、中継局１１８と通信している複数のＵＥと同様に、中継局１１８によってサービスされうる複数の新しいＵＥに対する強干渉ｅＮＢであることができる。その中で中継局１１８が複数のＵＥへ送信する複数の中継ダウンリンクのサブフレームに関しては、中継局１１８のタイミングは、マクロｅＮＢ  １１０のタイミングから整数のサブフレーム数だけ（例えば、図５では、１つのサブフレームだけ）シフトされることができる。マクロｅＮＢ  １１０は、中継局１１８のために幾つかのサブフレーム（例えば、図５におけるサブフレーム１と６）をクリアすることができる。中継局１１８は、マクロｅＮＢ  １１０よってリザーブされた複数のサブフレームと一致する複数の中継ダウンリンクのサブフレームにおいてＰＢＣＨおよびその複数の同期信号を送信することができる。複数のＵＥは、中継局１１８からの複数の同期信号を検出することができる。上で記述されるように、複数のＵＥは、マクロｅＮＢ  １１０によってパンクチャされる複数のシンボルを知っておくことができ、そして中継局１１８からの複数の制御チャネルを復号化するために、この情報を活用することができる。
【００６０】
バックホールダウンリンクのサブフレームに関しては、中継局１１８は、マクロｅＮＢ  １１０に対して傾聴することのみを要望することができ、そしてこれらのサブフレームにおいては、その複数のＵＥに何も送信しないことを要望することができる。しかしながら、中継局１１８は、その複数のＵＥに対するｅＮＢであるので、中継局１１８は、その複数のバックホールダウンリンクのサブフレームにおいて、その複数のＵＥへ幾つかの信号を送信することが予期される。１つの設計では、中継局１１８は、複数のバックホールダウンリンクのサブフレームのためにＭＢＳＦＮモードで動作することができる。ＭＢＳＦＮモードでは、中継局１１８は、バックホールダウンリンクのサブフレームの第１のシンボル期間においてのみ送信することができ、またサブフレームの残りのシンボル期間においては、マクロｅＮＢ  １１０に対して傾聴することができる。図５において示される例では、中継局１１８は、サブフレーム１、２、３、４および９の第１のシンボル期間においてのみ送信し、それらはその中で中継局１１８がマクロｅＮＢ  １１０に対して傾聴するサブフレームである。
【００６１】
１つの設計では、マクロｅＮＢ  １１０は、その中でマクロｅＮＢ  １１０が中継局１１８に送信する複数のサブフレーム（例えば、図５におけるマクロｅＮＢ  １１０のサブフレーム０と５）において、ＰＣＦＩＣＨを所定の値（例えば、Ｍ＝３）に設定することができる。中継局１１８は、ＰＣＦＩＣＨの所定の値を知ることができ、そしてＰＣＦＩＣＨの復号化をスキップすることができる。中継局１１８は、第１のシンボル期間において、その複数のＵＥにＰＣＦＩＣＨを送信することができ、そしてマクロｅＮＢ  １１０によって同じシンボル期間において伝送されたＰＣＦＩＣＨの復号化をスキップすることができる。マクロｅＮＢ  １１０は、ＰＨＩＣＨの３つの送信を伝送することができ、各ＴＤＭ制御シンボルにおいて１つの送信である。中継局１１８は、第２および第３のＴＤＭ制御シンボルにおけるＰＨＩＣＨの送信に基づいて、マクロｅＮＢ  １１０からのＰＨＩＣＨを復号化することができる。マクロｅＮＢ  １１０はまた、中継局１１８に関する全てのまたはほとんどのＰＤＣＣＨの送信が、第２および第３のＴＤＭ制御シンボルにおいて伝送されるように、ＰＤＣＣＨを伝送することができる。中継局１１８は、第２および第３のＴＤＭ制御シンボルにおいて受信されたＰＤＣＣＨの送信の一部に基づいて、ＰＤＣＣＨを復号化することができる。マクロｅＮＢ  １１０は、第２および第３のＴＤＭ制御シンボルにおいて伝送された一部に基づいて、中継局１１８による制御チャネルの受信を向上するために、中継局１１８用の制御チャネル（例えば、ＰＨＩＣＨおよび／またはＰＤＣＣＨ）の送信パワーを上げることができる。マクロｅＮＢ  １１０はまた、中継局１１８への第１のＴＤＭ制御シンボルにおいて制御情報を送信することをスキップすることができる。マクロｅＮＢ  １１０は、シンボル期間３から１３において、中継局１１８へデータを伝送することができる。中継局１１８は、通常の仕方においてデータを回復することができる。
【００６２】
中継局１１８は、シンボル期間０において、マクロｅＮＢ  １１０から基準信号を受信できないことがありうる。中継局１１８は、中継局１１８がマクロｅＮＢ  １１０から受信できる基準信号に基づいて、マクロｅＮＢ  １１０に関するチャネル推定を派生することができる。中継局１１８をスケジューリングするときは、マクロｅＮＢ  １１０は、どのサブフレームが中継局１１８によるより良いチャネル推定をおそらく有するかに関する情報を活用することができる。例えば、中継局１１８は、２つの連続的なサブフレームの中でマクロｅＮＢ  １１０に対して傾聴することができる。この場合には、第１のサブフレームに関するチャネル推定は外挿（extrapolated）されるのに対して、第２のサブフレームに関するチャネル推定は内挿（interpolated）され並びにその周りにより多くの基準シンボルを有するので、第１のサブフレームに関するチャネル推定は、第２のサブフレームに関するチャネル推定に比べてより悪くなりうる。その時、マクロｅＮＢ  １１０は、可能である場合には、中継局１１８へデータを伝送することができる。
【００６３】
中継局１１８は、複数の同期信号を搬送するそのサブフレーム０および５において、ＭＢＳＦＮモードで動作するこができない。１つの設計では、中継局１１８は、中継局１１８のサブフレーム０および５において、たとえこれらのサブフレームがバックホールダウンリンクのサブフレームとして指定されていたとしても、マクロｅＮＢ  １１０に対して傾聴することをスキップすることができ、そしてその代わりに、その複数のＵＥへ送信することができる。別の設計では、中継局１１８は、サブフレーム０および５において、たとえこれらのサブフレームが中継ダウンリンクのサブフレームとして指定されていたとしても、その複数のＵＥに送信することをスキップすることができ、そしてその代わりに、マクロｅＮＢ  １１０に対して傾聴することができる。中継局１１８はまた、両方の組み合わせを行うことができ、そして幾つかのサブフレーム０および５においては、その複数のＵＥに送信し、そして幾つかのその他のサブフレーム０および５においては、マクロｅＮＢ  １１０に対して傾聴することができる。
【００６４】
アップリンク方向では、中継局１１８は、その中で中継局１１８がマクロｅＮＢ  １１０にデータおよび制御情報を送信するバックホールアップリンクの複数のサブフレームにおいて、ＵＥと類似した仕方で動作することができる。中継局１１８は、その中で中継局１１８がＵＥ  １２８からのデータおよび制御情報に対して傾聴する中継アップリンクの複数のサブフレームにおいて、ｅＮＢと類似した仕方で動作することができる。マクロｅＮＢ  １１０におけるスケジューラおよび／または、中継局１１８におけるスケジューラは、中継局１１８によってサービスされる複数のＵＥのアップリンクおよび中継局１１８のアップリンクが、適切にスケジュールされることを確実にすることができる。
【００６５】
図６は、無線通信ネットワークにおいて干渉を緩和するためのプロセス６００の設計を示す。プロセス６００は、ＵＥ、基地局／ｅＮＢ、中継局、または何か他のエンティティによって行われることができる。異種ネットワークにおいて、第２の局へ高い干渉を引き起こしている、または第２の局から高い干渉を観測している、第１の局が識別されることができる（ブロック６１２）。異種ネットワークは、少なくとも２つの異なる送信パワーレベルおよび／または、異なるアソシエーションタイプの複数の基地局を具備することができる。第１の局からの第１の基準信号による干渉は、第２の局において該干渉をキャンセルすることによって緩和されることができ、あるいは第１の基準信号への干渉は、第１の基準信号との衝突を回避するために、第２の局によって第２の基準信号を伝送するための異なる複数のリソースを選択することによって緩和されることができる（ブロック６１４）。
【００６６】
１つの設計では、第１の局は、基地局または中継局であることができ、また第２の局は、ＵＥであることができる。ブロック６１４に関しては、第１の基準信号による干渉は、ＵＥにおいてキャンセルされることができる。１つの設計では、第１の基準信号による干渉が推定され、そして干渉−キャンセルされた信号を得るために、ＵＥにおいて受信された信号から減じられることができる。干渉−キャンセルされた信号は、次に、ＵＥがそれと通信状態にある中継局または基地局に関するチャネル推定を得るために処理されることができる。干渉−キャンセルされた信号はまた、基地局または中継局によってＵＥに伝送されるデータおよび／または制御情報を得るために処理されることができる。
【００６７】
別の設計では、第１および第２の局は、（i）それぞれ、マクロ基地局およびピコ基地局、（ii）２つのフェムト局、または（iii）何か他の組み合わせのマクロ、ピコおよびフェムトの基地局並びに中継局を具備することができる。ブロック６１４に関しては、第１の局によって第１の基準信号を伝送するために使用される複数の第１のリソースが決定されることができる。第２の基準信号を伝送するための複数の第２のリソースと関連するセルＩＤは、複数の第２のリソースが複数の第１のリソースと異なるように選択されることができる。複数の第１のリソースは、複数のサブキャリアの第１の組を具備し、そして複数の第２のリソースは、複数のサブキャリアの第２の組を具備し、それは複数のサブキャリアの第１の組とは異なることができる。第２の基準信号は、第２の局によって複数の第２のリソース上で伝送されることができ、そしてその時は、第１の基準信号との衝突を回避することができる。一次同期信号および二次同期信号は、選択されたセルＩＤに基づいて生成されることができ、そして指定されたサブフレーム（例えば、サブフレーム０と５）において、第２の局によって伝送されることができる。
【００６８】
図７は、干渉を緩和するための装置７００の設計を示す。装置７００は、異種ネットワークにおいて、第２の局へ高い干渉を引き起こしている、または第２の局から高い干渉を観測している、第１の局を識別するためのモジュール７１２と、第２の局において干渉をキャンセルすることによって、第１の局からの第１の基準信号による干渉を緩和するためと、または第１の基準信号との衝突を回避するために、第２の局によって第２の基準信号を伝送するための異なる複数のリソースを選択することによって、第１の基準信号への干渉を緩和するためのモジュール７１４とを含む。
【００６９】
図８は、無線通信ネットワークにおいて中継局を動作するためのプロセス８００の設計を示す。中継局は、その中でそれがマクロ基地局に対して傾聴する複数のサブフレームを決定することができる（ブロック８１２）。中継局は、その中でそれがマクロ基地局に対して傾聴する複数のサブフレームにおいて、ＭＢＳＦＮモードで送信することができる（ブロック８１４）。中継局はまた、その中でそれが複数のＵＥに送信する複数のサブフレームを決定することができる（ブロック８１６）。中継局は、その中でそれが複数のＵＥに送信する複数のサブフレームにおいて、通常モードで送信することができる（ブロック８１８）。
【００７０】
中継局は、通常モードに比べてＭＢＳＦＮモードでは、与えられたサブフレーム中のより少ない複数のシンボル期間において、基準信号を伝送することができる。１つの設計では、中継局は、例えば、図４において示されるように、ＭＢＳＦＮモードで、その中で中継局がマクロ基地局に対して傾聴している各サブフレームの１つのシンボル期間において、各アンテナから基準信号を送信することができる。中継局は、例えば、図３において示されるように、通常モードで、その中で中継局が複数のＵＥに送信する各サブフレームのマルチプルな複数のシンボル期間において、各アンテナから基準信号を送信することができる。１つの設計では、中継局は、ＭＢＳＦＮモードで、その中で中継局がマクロ基地局に対して傾聴する各サブフレーム中の、最初の２つのシンボル期間のみまたは第１のシンボル期間のみにおいて、基準信号を送信することができる。中継局は、通常モードで、その中で中継局が複数のＵＥに送信する各サブフレームに渡って、より多くのシンボル期間において基準信号を送信することができる。中継局はまた、ＭＢＳＦＮモードおよび通常モードにおける他の仕方で、基準信号を送信することができる。
【００７１】
ブロック８１４の１つの設計では、中継局は、その中でそれがマクロ基地局に対して傾聴している各サブフレームにおいて、データ無しで且つ単一のＴＤＭ制御シンボルを送信することができる。中継局は、その中でマクロ基地局が中継局に送信する各サブフレームにおいて、マクロ基地局から最大数（例えば、３つ）のＴＤＭ制御シンボルを受信することができる。中継局は、第２および第３のＴＤＭ制御シンボルに基づいて、マクロ基地局からの少なくとも１つの制御チャネル（例えば、ＰＨＩＣＨおよびＰＤＣＣＨ）を復号化することができる。
【００７２】
図９は、中継局を動作するための装置９００の設計を示す。装置９００は、その中で中継局がマクロ基地局に対して傾聴している複数のサブフレームを決定するためのモジュール９１２と、その中で中継局がマクロ基地局に対して傾聴している複数のサブフレームにおいて、中継局によってＭＢＳＦＮモードで送信するためのモジュール９１４と、その中で中継局が複数のＵＥに送信している複数のサブフレームを決定するためのモジュール９１６と、そしてその中で中継局が複数のＵＥに送信している複数のサブフレームにおいて、中継局によって通常モードで送信するためのモジュール９１８を含む。
【００７３】
図１０は、無線通信ネットワークにおいて制御情報を送信するためのプロセス１０００の設計を示す。プロセス１０００は、第１の局によって行われることができ、それは、基地局／ｅＮＢ、中継局、または何か他のエンティティであることができる。第１の局は、第１の局への強干渉局を識別することができる（ブロック１０１２）。第１の局は、サブフレームの中で、強干渉局によって送信されている第１の数のＴＤＭ制御シンボルを決定することができる（ブロック１０１４）。第１の局は、該サブフレームにおいて、第２の数のＴＤＭ制御シンボルを送信することができ、該第２の数のＴＤＭ制御シンボルは、該第１の数のＴＤＭ制御シンボル以上である（ブロック１０１６）。第２の数のＴＤＭ制御シンボルは、第１の局によって許容される最大数のＴＤＭ制御シンボルであることができ、そして３つのＴＤＭ制御シンボルを具備することができる。
【００７４】
第１の局および強干渉局は、異なる送信パワーレベルを有することができる。１つの設計では、第１の局は、ピコ基地局であることができ、そして干渉局は、マクロ基地局であることができる。別の設計では、第１の局は、マクロ基地局であることができ、そして干渉局は、フェムト基地局であることができ、またはその逆もありうる。なお別の設計では、第１の局は、フェムト基地局であることができ、そして干渉局は、別のフェムト基地局であることができる。第１の局および強干渉局はまた、マクロ基地局、ピコ基地局、フェムト基地局、中継局等の何か他の組み合わせであることもできる。
【００７５】
１つの設計では、第１の局は、強干渉局が存在しない場合には、サブフレームにおいて送信されている第２の数のＴＤＭ制御シンボルを示す制御チャネル（例えば、ＰＣＦＩＣＨ）を送信することができる。第１の局は、強干渉局が存在する場合には、制御チャネルを送信しないことができる。この場合には、所定の値が、第２の数のＴＤＭ制御シンボルのために仮定されることができる。
【００７６】
ブロック１０１６の１つの設計では、第１の局は第１の送信パワーレベルで、第１のＴＤＭ制御シンボルにおいて、制御チャネル（例えば、ＰＨＩＣＨまたはＰＤＣＣＨ）を送信することができる。第１の局は、第２の送信パワーレベルで、少なくとも１つの追加のＴＤＭ制御シンボルにおいて、制御チャネルを送信することができ、それは第１の送信パワーレベルに比べてより高くありうる。ブロック１０１６の別の設計では、第１の局は、強干渉局からの基準信号との衝突を回避するまたは減らすために選択される複数のリソース要素上で、第２の数のＴＤＭ制御シンボルにおいて、制御チャネル（例えば、ＰＨＩＣＨまたはＰＤＣＣＨ）を送信することができる。第１の局はまた、強干渉局からの干渉の影響を緩和するための他の仕方において、第２の数のＴＤＭ制御シンボルを送信することができる。
【００７７】
図１１は、制御情報を送信するための装置１１００の設計を示す。装置１１００は、第１の局への強干渉局を識別するためのモジュール１１１２と、サブフレームにおいて、強干渉局によって送信されている第１の数のＴＤＭ制御シンボルを決定するためのモジュール１１１４と、そしてサブフレームにおいて、第１の局によって第２の数のＴＤＭ制御シンボルを送信するためのモジュール１１１６を含み、該第２の数のＴＤＭ制御シンボルは、第１の数のＴＤＭ制御シンボル以上である。
【００７８】
図７、９および１１におけるモジュールは、プロセッサ、エレクトロニクスデバイス、ハードウェアデバイス、エレクトロニクスコンポーネント、論理回路、メモリ、ソフトウェアコード、ファームウェアコード等、あるいはそれらの何れの組み合わせを具備することができる。
【００７９】
図１２は、局１１０ｘおよびＵＥ  １２０の設計のブロック図を示す。局１１０ｘは、図１における、マクロ基地局１１０、ピコ基地局１１２、フェムト基地局１１４または１１６、あるいは中継局１１８であることができる。ＵＥ  １２０は、図１における複数のＵＥの何れであることができる。局１１０ｘは、Ｔ個のアンテナ１２３４ａから１２３４ｔを備えられることができ、そしてＵＥ  １２０は、Ｒ個のアンテナ１２５２ａから１２５２ｒを備えられることができ、ここでは、一般に、Ｔ≧１およびＲ≧１である。
【００８０】
局１１０ｘでは、送信プロセッサ１２２０は、データ送信装置１２１２からデータを受信し、そして制御装置／プロセッサ１２４０から制御情報を受信することができる。制御情報は、ＰＢＣＨ、ＰＣＦＩＣＨ、ＰＨＩＣＨ、ＰＤＣＣＨ等に関するものであることができる。データは、ＰＤＳＣＨ等に関するものであることができる。プロセッサ１２２０は、複数のデータシンボルおよび複数の制御シンボルをそれぞれ得るために、データおよび制御情報を処理する（例えば、符号化する、およびシンボルマップ（symbol map）する）ことができる。プロセッサ１２２０はまた、例えば、ＰＳＳ、ＳＳＳ、およびセル特有の基準信号のために、複数の基準シンボルを生成することができる。送信（ＴＸ）多入力多出力（ＭＩＭＯ：multiple-input multiple-output）プロセッサ１２３０は、適用可能な場合に、データシンボル、制御シンボル、および／または基準シンボル上に、空間的な処理（例えば、事前コード化（precoding））を行うことができ、そしてＴ個の出力シンボルストリームをＴ個の変調器（ＭＯＤ）１２３２ａから１２３２ｔに提供することができる。各変調器１２３２は、出力サンプルストリームを得るために、それぞれの（例えば、ＯＦＤＭ等に関する）出力シンボルストリームを処理することができる。各変調器１２３２は、ダウンリンク信号を得るために、出力サンプルストリームを更に処理する（例えば、アナログへ変換する、増幅する、フィルタする、およびアップコンバートする）ことができる。変調器１２３２ａから１２３２ｔまでからのＴ個のダウンリンク信号は、それぞれＴ個のアンテナ１２３４ａから１２３４ｔを介して送信されることができる。
【００８１】
ＵＥ  １２０では、アンテナ１２５２ａから１２５２ｒは、局１１０ｘからダウンリンク信号を受信することができ、そして受信された信号を、それぞれ復調器（ＤＥＭＯＤ）１２５４ａから１２５４ｒに提供することができる。各復調器１２５４は、入力サンプルを得るために、それぞれの受信された信号を調える（例えば、フィルタする、増幅する、ダウンコンバートする、およびデジタル化する）ことができる。各復調器１２５４は、受信されたシンボルを得るために、（例えば、ＯＦＤＭ等に関する）入力サンプルを更に処理することができる。ＭＩＭＯ検出器１２５６は、全てのＲ個の復調器１２５４ａから１２５４ｒまでから、受信されたシンボルを得ることができ、適用可能な場合は、該受信されたシンボル上にＭＩＭＯ検出を行ない、そして検出されたシンボルを提供することができる。受信プロセッサ１２５８は、検出されたシンボルを処理し（例えば、復調する、逆インタリーブする（deinterleave）、および復号化する）、ＵＥ  １２０に関する復号化されたデータをデータ受信装置１２６０へ提供し、そして制御装置／プロセッサ１２８０へ復号化された制御情報を提供することができる。
【００８２】
アップリンク上において、ＵＥ  １２０では、送信プロセッサ１２６４は、データ送信装置１２６２からの（例えば、ＰＵＳＣＨに関する）データ、および制御装置／プロセッサ１２８０からの（例えば、ＰＵＣＣＨに関する）制御情報を受信し、そして処理することができる。プロセッサ１２６４は、基準信号に関する基準シンボルを生成することができる。送信プロセッサ１２６４からの複数のシンボルは、適用可能な場合には、ＴＸ  ＭＩＭＯプロセッサ１２６６によって事前コード化されることができ、（例えば、ＳＣ−ＦＤＭ等のために）変調器１２５４ａから１２５４ｒによって更に処理され、そして局１１０ｘへ送信される。局１１０ｘでは、ＵＥ  １２０からの複数のアップリンク信号は、アンテナ１２３４によって受信されることができ、適用可能な場合にはＭＩＭＯ検出器１２３６によって検出され、そしてＵＥ  １２０によって伝送された、復号化されたデータおよび制御情報を得るために、受信プロセッサ１２３８によって更に処理される。プロセッサ１２３８は、復号化されたデータをデータ受信装置１２３９に、および復号化された制御情報を制御装置／プロセッサ１２４０に提供することができる。
【００８３】
制御装置／プロセッサ１２４０および１２８０は、それぞれ局１１０ｘおよびＵＥ  １２０におけるオペレーションを管理することができる。局１１０ｘにおけるプロセッサ１２４０および／または他のプロセッサおよびモジュールは、図６におけるプロセス６００、図８におけるプロセス８００、図１０におけるプロセス１０００および／または、ここに記述される技術に関する他のプロセスを行うまたは管理することができる。ＵＥ  １２０における、プロセッサ１２８０および／または他のプロセッサおよびモジュールは、図６におけるプロセス６００および／または、ここに記述される技術に関する他のプロセスを行うまたは管理することができる。メモリ１２４２と１２８２は、それぞれ局１１０ｘおよびＵＥ  １２０のために、データとプログラムコードを格納することができる。スケジューラ１２４４は、アップリンクおよび／またはダウンリンク上のデータ送信のために、複数のＵＥをスジュールすることができる。
【００８４】
当業者は、情報および信号が、様々な異なる科学技術および専門技術の何れを使用しても、表されることができることを理解するであろう。例えば、上の記述の全体に渡って参照されることができるデータ、命令、コマンド、情報、信号、ビット、シンボル、およびチップは、電圧、電流、電磁波、磁気のフィールドまたはパーティクル(particles)、光学のフィールドまたはパーティクル、あるいはそれらの何れの組み合わせによって、表わされることができる。
【００８５】
当業者は、ここにおける開示に関連して記述された、様々な例示的な論理ブロック（logical blocks）、モジュール、回路、およびアルゴリズムのステップは、電子ハードウェア、コンピュータソフトウェア、あるいは両方の組み合わせとして、インプリメントされるうることを、更に評価するであろう。明白にハードウェアとソフトウェアのこの互換性を例示するために、様々な例示的なコンポーネント、ブロック、モジュール、回路およびステップが、概してそれらの機能性の点から、上に記述されている。そのような機能が、ハードウェアまたはソフトウェアとしてインプリメントされるかどうかは、オーバーオール（overall）なシステムに課された特定のアプリケーションおよび設計の制約に依存する。当業者は、それぞれの特定のアプリケーションに関して多様な仕方（ways）において、該記述された機能をインプリメントすることができるが、そのようなインプリメンテーションの決定は、本開示の範囲から逸脱すると解釈されるべきでない。
【００８６】
この開示に関連して記述される、様々な例示的な論理ブロック、モジュール、および回路は、一般目的のプロセッサ、デジタルシグナルプロセッサ（ＤＳＰ）、特定用途向け集積回路（ＡＳＩＣ）、フィールドプログラマブル（programmable）ゲートアレー（ＦＰＧＡ）あるいは他のプログラマブル論理デバイス、個別のゲートまたはトランジスタロジック、個別のハードウェアコンポーネント、あるいはここに記述された複数の機能を行うために設計されたそれらの何れの組み合わせによってインプリメントされるまたは行われることができる。一般目的のプロセッサは、マイクロプロセッサであることができるが、その代わりにおいて、プロセッサは、何れの従来型のプロセッサ、制御装置、マイクロコントローラーまたはステート（state）マシンであることができる。プロセッサはまた、例えば、ＤＳＰとマイクロプロセッサの組み合わせ、複数のマイクロプロセッサ、ＤＳＰのコアと結合している１つまたは複数のマイクロプロセッサ、あるいは他の同様な構成等の、コンピューティングデバイスの組み合わせとして、インプリメントされることができる。
【００８７】
本開示に関連して記述されるアルゴリズムまたは方法の複数のステップは、ハードウェアにおいて、プロセッサによって実行されるソフトウェアモジュールにおいて、あるいは２つの組み合わせにおいて、直接具体化（embodied）されることができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術において知られる記憶媒体の何れの他の形において、常駐する（reside）ことができる。典型的な記憶媒体は、プロセッサが記憶媒体から情報を読み並びにそれに情報を書くことができるように、プロセッサに結合されることができる。代わりにおいて、記憶媒体は該プロセッサに統合されることができる。プロセッサと記憶媒体は、ＡＳＩＣに常駐することができる。ＡＳＩＣは、ユーザ端末機に常駐することができる。代わりにおいて、プロセッサと記憶媒体は、ユーザ端末機の個別のコンポーネントとして常駐することができる。
【００８８】
１つまたは複数の典型的な設計では、記述された複数の機能は、ハードウェア、ソフトウェア、ファームウェアあるいはそれらの何れの組み合わせにおいてインプリメントされることができる。ソフトウェアにおいてインプリメントされる場合は、複数の機能は、コンピュータ可読媒体上でコードあるいは１つまたは複数の命令として送信されるあるいは格納されることができる。コンピュータ可読媒体は、１つの場所から別の場所へのコンピュータプログラムの転送を容易にする何れの媒体を含む通信媒体と、コンピュータ記憶媒体との両方を含む。記憶媒体は、一般目的あるいは専用目的のコンピュータによってアクセスされることができる何れの利用可能な媒体であることができる。限定としてではなく、例として、そのようなコンピュータ可読媒体は、ＲＡＭ、ＲＯＭ、ＥＥＰＲＯＭ、ＣＤ−ＲＯＭまたは他の光ディスク記憶装置、磁気ディスク記憶装置、あるいは他の磁気記憶装置のデバイス、あるいは複数のデータ構造または複数の命令の形式において望ましいプログラムコードの手段を格納するあるいは運ぶために使用されることができ、そして一般目的または専用目的のプロセッサあるいは一般目的または専用目的のコンピュータによってアクセスされることができる、何れの他の記憶媒体を具備することができる。更に、何れの接続は、コンピュータ可読媒体と厳密には称されることができる。例えば、ソフトウェアが、同軸ケーブル、光ファイバーケーブル、ツイストペア、デジタル加入者回線（ＤＳＬ）、あるいは赤外線、電波、およびマイクロ波のような無線技術を使用して、ウェブサイト、サーバーあるいは他のリモートのソースから送信される場合は、同軸ケーブル、光ファイバーケーブル、ツイストペア、ＤＳＬ、あるいは赤外線、電波、およびマイクロ波のような無線技術は、媒体の定義に含まれる。ここに使用されるディスク（Disk）およびディスク（disc）は、コンパクト・ディスク（ＣＤ）、レーザーディスク（登録商標）、光ディスク、ディジタル多目的ディスク（ＤＶＤ）、フロッピー（登録商標）ディスクおよびブルーレイディスクを含んでいる、ここではディスク（disks）は、通常磁気的にデータを再生し、一方ディスク（discs）は、レーザーを用いて光学的にデータを再生する。上記の複数の組み合わせもまた、コンピュータ可読媒体の範囲内に含まれるべきである。
【００８９】
本開示についての前の記述は、何れの当業者が、本開示を作るあるいは利用することができるようにするために提供される。本開示に対する様々な修正（modification）は、当業者にとっては、容易に（readily）明白であることができ、ここに定義された一般的な（generic）法則は、本開示の精神または範囲から外れることなく、他のバリエーション(variation)へ応用されることができる。従って、本開示は、ここに記述される例および設計に制限されるようには意図されず、ここに開示される法則および新規な特徴と一致する最も広い範囲を与えられることになる。
以下に、本願出願の当初の特許請求の範囲に記載された発明を付記する。
［Ｃ１］  下記を具備する、無線通信のための方法：
少なくとも２つの異なる送信パワーレベルの複数の基地局を具備している異種ネットワークにおいて、第２の局へ高い干渉を引き起こしている、または第２の局から高い干渉を観測している、第１の局を識別すること；および
前記第２の局において前記干渉をキャンセルすることによって、前記第１の局からの第１の基準信号による干渉を緩和すること、または前記第１の基準信号との衝突を回避するために、前記第２の局によって第２の基準信号を伝送するための異なる複数のリソースを選択することによって、前記第１の基準信号への干渉を緩和すること。
［Ｃ２］  Ｃ１に記載の方法、ここにおいて前記第１の局は、基地局または中継局であり、ここにおいて前記第２の局はユーザ機器（ＵＥ）であり、およびここにおいて前記干渉を緩和することは、前記ＵＥにおいて前記第１の基準信号による前記干渉をキャンセルすることを具備する。
［Ｃ３］  Ｃ２に記載の方法、ここにおいて前記干渉を前記キャンセルすることは下記を具備する、
前記ＵＥにおいて前記第１の基準信号による前記干渉を推定すること、
干渉−キャンセルされた信号を得るために、前記ＵＥにおいて受信された信号から前記推定された干渉を減じること、および
前記ＵＥがそれと通信状態にある中継局または基地局に関するチャネル推定を得るために、前記干渉−キャンセルされた信号を処理すること。
［Ｃ４］  Ｃ１に記載された方法、ここにおいて前記第１の局はマクロ基地局であり、そして前記第２の局は、ピコ基地局または中継局である。
［Ｃ５］  Ｃ１に記載された方法、ここにおいて前記第１および第２の局は、第１および第２のフェムト基地局である。
［Ｃ６］  Ｃ１に記載の方法、ここにおいて前記干渉を緩和することは下記を具備する、
前記第１の局によって前記第１の基準信号を伝送するために使用される複数の第１のリソースを決定すること、
前記第２の基準信号を伝送するための複数の第２のリソースと関連するセル識別（ＩＤ）を選択すること、前記複数の第２のリソースは、前記複数の第１のリソースとは異なっている、および
前記第２の局によって、前記複数の第２のリソース上で前記第２の基準信号を伝送すること。
［Ｃ７］  Ｃ１に記載の方法、ここにおいて前記複数の第１のリソースは、複数のサブキャリアの第１の組を具備し、そしてここにおいて前記複数の第２のリソースは、前記複数のサブキャリアの第１の組とは異なる複数のサブキャリアの第２の組を具備する。
［Ｃ８］  更に下記を具備する、Ｃ６に記載の方法：
前記選択されたセルＩＤに基づいて、一次同期信号および二次同期信号を生成すること；および
前記第２の局によって、指定された複数のサブフレームにおいて前記一次および二次の同期信号を伝送すること。
［Ｃ９］  下記を具備する、無線通信のための装置：
少なくとも２つの異なる送信パワーレベルの複数の基地局を具備している異種ネットワークにおいて、第２の局へ高い干渉を引き起こしている、または第２の局から高い干渉を観測している、第１の局を識別するための手段；および
前記第２の局において前記干渉をキャンセルすることによって、前記第１の局からの第１の基準信号による干渉を緩和する、または前記第１の基準信号との衝突を回避するために、前記第２の局によって第２の基準信号を伝送するための異なる複数のリソースを選択することによって、前記第１の基準信号への干渉を緩和するための手段。
［Ｃ１０］  Ｃ９に記載の装置、ここにおいて前記第１の局は、基地局または中継局であり、ここにおいて前記第２の局はユーザ機器（ＵＥ）であり、およびここにおいて前記干渉を緩和することは、前記ＵＥにおいて前記第１の基準信号による前記干渉をキャンセルすることを具備する。
［Ｃ１１］  Ｃ１０に記載の装置、ここにおいて前記干渉をキャンセルするための前記手段は下記を具備する、
前記ＵＥにおいて前記第１の基準信号による前記干渉を推定するための手段、
干渉−キャンセルされた信号を得るために、前記ＵＥにおいて受信された信号から前記推定された干渉を減じるための手段、および
前記ＵＥがそれと通信状態にある中継局または基地局に関するチャネル推定を得るために、前記干渉−キャンセルされた信号を処理するための手段。
［Ｃ１２］  Ｃ９に記載の装置、ここにおいて前記干渉を緩和するための前記手段は下記を具備する、
前記第１の局によって前記第１の基準信号を伝送するために使用される複数の第１のリソースを決定するための手段、
前記第２の基準信号を伝送するための複数の第２のリソースと関連するセルの識別（ＩＤ）を選択するための手段、前記複数の第２のリソースは、前記複数の第１のリソースとは異なっている、および
前記第２の局によって、前記複数の第２のリソース上で前記第２の基準信号を伝送するため手段。
［Ｃ１３］  下記を具備する、無線通信のための装置：
少なくとも２つの異なる送信パワーレベルの複数の基地局を具備している異種ネットワークにおいて、第２の局へ高い干渉を引き起こしている、または第２の局から高い干渉を観測している、第１の局を識別するようにと、また前記第２の局において前記干渉をキャンセルすることによって、前記第１の局からの第１の基準信号による干渉を緩和する、または前記第１の基準信号との衝突を回避するために、前記第２の局によって第２の基準信号を伝送するための異なる複数のリソースを選択することによって、前記第１の基準信号への干渉を緩和するように構成される少なくとも１つのプロセッサ。
［Ｃ１４］  Ｃ１３に記載の装置、ここにおいて前記第１の局は、基地局または中継局であり、ここにおいて前記第２の局はユーザ機器（ＵＥ）であり、およびここにおいて前記少なくとも１つのプロセッサは、前記ＵＥにおいて前記第１の基準信号による前記干渉をキャンセルするように構成される。
［Ｃ１５］  Ｃ１４に記載の装置、ここにおいて前記少なくとも１つのプロセッサは、前記ＵＥにおいて前記第１の基準信号による前記干渉を推定するようにと、干渉−キャンセルされた信号を得るために、前記ＵＥにおいて受信された信号から前記推定された干渉を減じるように、および前記ＵＥがそれと通信状態にある中継局または基地局に関するチャネル推定を得るために、前記干渉−キャンセルされた信号を処理するように構成される。
［Ｃ１６］  Ｃ１３に記載の装置、ここにおいて前記少なくとも１つのプロセッサは、前記第１の局によって前記第１の基準信号を伝送するために使用される複数の第１のリソースを決定するようにと、前記第２の基準信号を伝送するための複数の第２のリソースと関連するセルの識別（ＩＤ）を選択するようにと、前記複数の第２のリソースは、前記複数の第１のリソースとは異なっている、および前記第２の局によって、前記複数の第２のリソース上で前記第２の基準信号を伝送するように構成される。
［Ｃ１７］  下記を具備する、コンピュータプログラム製品：
コンピュータ可読媒体、前記媒体は下記を具備する：
少なくとも２つの異なる送信パワーレベルの複数の基地局を具備している異種ネットワークにおいて、第２の局へ高い干渉を引き起こしている、または第２の局から高い干渉を観測している、第１の局を識別することを少なくとも１つのコンピュータに行なわせるためのコード、および
前記第２の局において前記干渉をキャンセルすることによって、前記第１の局からの第１の基準信号による干渉を緩和すること、または前記第１の基準信号との衝突を回避するために、前記第２の局によって第２の基準信号を伝送するための異なる複数のリソースを選択することによって、前記第１の基準信号への干渉を緩和することを前記少なくも１つのコンピュータに行なわせるためのコード。
［Ｃ１８］  下記を具備する、無線通信のための方法：
その中で中継局がマクロ基地局に対して傾聴している複数のサブフレームを決定すること；および
その中で前記中継局が前記マクロ基地局に対して傾聴している前記複数のサブフレームにおいて、前記中継局によってマルチキャスト／ブロードキャスト単一周波数ネットワーク（ＭＢＳＦＮ）モードで送信すること、ここにおいて基準信号は、通常モードに比べて前記ＭＢＳＦＮモードでは、サブフレーム中のより少ない複数のシンボル期間において伝送される。
［Ｃ１９］  更に下記を具備する、Ｃ１８の方法：
その中で前記中継局が複数のユーザ機器（ＵＥｓ）に送信している複数のサブフレームを決定すること；および
その中で前記中継局が前記複数のＵＥに送信している前記複数のサブフレームにおいて、前記中継局によって前記通常モードで送信すること。
［Ｃ２０］  Ｃ１９に記載の方法、ここにおいて前記ＭＢＳＦＮモードで前記送信することは、その中で前記中継局が前記マクロ基地局に対して傾聴している各サブフレームの１つのシンボル期間において、前記中継局によって各アンテナから前記基準信号を送信することを具備し、およびここにおいて前記通常モードで前記送信することは、その中で前記中継局が前記複数のＵＥに送信している各サブフレームのマルチプルな複数のシンボル期間において、前記中継局によって各アンテナから前記基準信号を送信することを具備する。
［Ｃ２１］  Ｃ１８に記載の方法、ここにおいて前記ＭＢＳＦＮモードで前記送信することは、その中で前記中継局が前記マクロ基地局に対して傾聴している各サブフレームの第１のシンボル期間のみにおいて、前記中継局によって前記基準信号を送信することを具備する。
［Ｃ２２］  Ｃ１８に記載の方法、ここにおいて前記ＭＢＳＦＮモードで前記送信することは、その中で前記中継局が前記マクロ基地局に対して傾聴している各サブフレームにおいて、データ無しで且つ単一の時分割多重（ＴＤＭ）制御シンボルを送信すること具備する。
［Ｃ２３］  更に下記を具備する、Ｃ１８に記載の方法：
その中で前記マクロ基地局が前記中継局に送信する各サブフレームにおいて、前記マクロ基地局から最大数の時分割多重（ＴＤＭ）制御シンボルを受信すること。
［Ｃ２４］  更に下記を具備する、Ｃ２２に記載の方法、ここにおいて前記単一のＴＤＭ制御シンボルは、その中で前記中継局が前記マクロ基地局に対して傾聴している各サブフレームの第１のシンボル期間において伝送される：
その中で前記中継局が前記マクロ基地局に対して傾聴している各サブフレームの第２および第３のシンボル期間において、複数のＴＤＭ制御シンボルを受信すること、および
前記受信された複数のＴＤＭ制御シンボルに基づいて、前記マクロ基地局から少なくとも１つの制御チャネルを復号化すること。
［Ｃ２５］  下記を具備する、無線通信のための装置：
その中で中継局がマクロ基地局に対して傾聴している複数のサブフレームを決定するための手段；および
その中で前記中継局が前記マクロ基地局に対して傾聴している前記複数のサブフレームにおいて、前記中継局によってマルチキャスト／ブロードキャスト単一周波数ネットワーク（ＭＢＳＦＮ）モードで送信するための手段、ここにおいて基準信号は、通常モードに比べて前記ＭＢＳＦＮモードでは、サブフレーム中のより少ない複数のシンボル期間において伝送される。
［Ｃ２６］  更に下記を具備する、Ｃ２５に記載の装置：
前記中継局が、複数のユーザ機器（ＵＥｓ）に送信している複数のサブフレームを決定するための手段；および
その中で前記中継局が前記複数のＵＥに送信している前記複数のサブフレームにおいて、前記中継局によって前記通常モードで送信するための手段。
［Ｃ２７］  Ｃ２５に記載の装置、ここにおいて前記ＭＢＳＦＮモードで前記送信することは、その中で前記中継局が前記マクロ基地局に対して傾聴している各サブフレームの第１のシンボル期間のみにおいて、前記中継局によって前記基準信号を送信することを具備する。
［Ｃ２８］  Ｃ２５に記載の装置、ここにおいて前記ＭＢＳＦＮモードで前記送信することは、その中で前記中継局が前記マクロ基地局に対して傾聴している各サブフレームにおいて、データ無しで且つ単一の時分割多重（ＴＤＭ）制御シンボルを送信すること具備する。
［Ｃ２９］  下記を具備する、無線通信のための方法：
第１の局への強干渉局を識別すること；
サブフレームにおいて前記強干渉局によって送信されている第１の数の時分割多重（ＴＤＭ）制御シンボルを決定すること；および
前記サブフレームにおいて前記第１の局によって第２の数のＴＤＭ制御シンボルを送信すること、前記第２の数のＴＤＭ制御シンボルは、前記第１の数のＴＤＭ制御シンボル以上である。
［Ｃ３０］  Ｃ２９に記載の方法、ここにおいて前記強干渉局および前記第１の局は、異なる送信パワーレベルを有する基地局である。
［Ｃ３１］  Ｃ２９に記載の方法、ここにおいて前記第２の数のＴＤＭ制御シンボルは、前記第１の局に関して許容される最大数のＴＤＭ制御シンボルを具備する。
［Ｃ３２］  Ｃ２９に記載の方法、ここにおいて前記第２の数のＴＤＭ制御シンボルは、３つのＴＤＭ制御シンボルを具備する。
［Ｃ３３］  更に下記を具備する、Ｃ２９に記載の方法：
前記強干渉局が無い場合には、前記サブフレームにおいて前記第１の局によって送信されている前記第２の数のＴＤＭ制御シンボルを示している制御チャネルを送信すること、および
前記強干渉局が在る場合には、前記制御チャネルを送信しないこと。
［Ｃ３４］  Ｃ２９に記載の方法、ここにおいて前記第２の数のＴＤＭ制御シンボルを前記送信することは、下記を具備する、
第１の送信パワーレベルにおいて、第１のＴＤＭ制御シンボルの中で制御チャネルを送信すること、および
前記第１の送信パワーレベルに比べてより高い第２の送信パワーレベルにおいて、少なくとも１つの追加のＴＤＭ制御シンボルの中で前記制御チャネルを送信すること。
［Ｃ３５］  Ｃ２９に記載の方法、ここにおいて前記第２の数のＴＤＭ制御シンボルを前記送信することは、前記強干渉局からの基準信号との衝突を減らすために選択された複数のリソース要素上で、前記第２の数のＴＤＭ制御シンボルの中で制御チャネルを送信することを具備する。
［Ｃ３６］  下記を具備する、無線通信のための装置：
第１の局への強干渉局を識別するための手段；
サブフレームにおいて前記強干渉局によって送信されている第１の数の時分割多重（ＴＤＭ）制御シンボルを決定するための手段；および
前記サブフレームにおいて前記第１の局によって第２の数のＴＤＭ制御シンボルを送信するための手段、前記第２の数のＴＤＭ制御シンボルは、前記第１の数のＴＤＭ制御シンボル以上である。
［Ｃ３７］  更に下記を具備する、Ｃ３６に記載の装置：
前記強干渉局が無い場合には、前記サブフレームにおいて前記第１の局によって送信されている前記第２の数のＴＤＭ制御シンボルを示す制御チャネルを送信するための手段、および
前記強干渉局が在る場合には、前記制御チャネルを送信しないこと。
［Ｃ３８］  Ｃ３６に記載の装置、ここにおいて前記第２の数のＴＤＭ制御シンボルを送信するための前記手段は、下記を具備する、
第１の送信パワーレベルにおいて、第１のＴＤＭ制御シンボルの中で制御チャネルを送信するための手段、および
前記第１の送信パワーレベルに比べてより高い第２の送信パワーレベルにおいて、少なくとも１つの追加のＴＤＭ制御シンボルの中で前記制御チャネルを送信するための手段。
［Ｃ３９］  Ｃ３６に記載の装置、ここにおいて前記第２の数のＴＤＭ制御シンボルを送信するための前記手段は、前記強干渉局からの基準信号との衝突を減らすために選択された複数のリソース要素上で、前記第２の数のＴＤＭ制御シンボルの中で制御チャネルを送信するための手段を具備する。
【図１】
0005456869.tif 000002
【図２】
0005456869.tif 000003
【図３】
0005456869.tif 000004
【図４】
0005456869.tif 000005
【図５】
0005456869.tif 000006
【図６】
0005456869.tif 000007
【図７】
0005456869.tif 000008
【図８】
0005456869.tif 000009
【図９】
0005456869.tif 000010
【図１０】
0005456869.tif 000011
【図１１】
0005456869.tif 000012
【図１２】
0005456869.tif 000013